(57)【特許請求の範囲】
【請求項１】
トラクタに牽引されてほ場を走行しながら播種する播種機であって、
前記ほ場に種子を条播する播種部の後方に、播種位置の側方の片側または両側に土壌を山形に押し固めて播種床を形成する播種床形成部が設けられていることを特徴とする、播種機。
【請求項２】
前記トラクタの進行方向後方の、前記播種部よりも前方に、施肥作溝器を備えた施肥部が設けられ、
前記播種部に備えられて播種位置を鎮圧する鎮圧輪は、前記播種床形成部の内側裾部よりも内側に配置され、
前記播種床形成部は、前記施肥作溝器によって掘り起こされた土壌を山形に押し固めることを特徴とする、請求項１に記載の播種機。
【請求項３】
前記播種床形成部は、互いに異なる軸を備えるとともに正面から見て底辺が山形を形成する一対のローラを有し、前記一対のローラは互いに独立懸架であることを特徴とする、請求項２に記載の播種機。
【発明の詳細な説明】
【技術分野】
【０００１】
本発明は、播種機に関するものであり、殊に甜菜等の発芽期において風害から子葉等を保護することができる播種機に関する。
【背景技術】
【０００２】
甜菜は、輪作作物の一つとして北海道を中心に栽培されている。輪作農家の安定した経営を図るためには、甜菜および他の作物の経営規模を拡大し、所得を確保する必要があるが、手間のかかる甜菜の移植栽培は規模拡大の障害となっており、省力的な直播栽培の普及が望まれている。また、甜菜の発芽期である春先には、殊に主産地である北海道において、強風が起こりやすく、現行の甜菜直播作業は風害対策を講じていないために、子葉が強風に振られて根に傷が付いたり、土砂の粒子によって子葉自体が損傷したりして、安定した収量が得られなかった。そのため、風害の影響を受けにくく、安定した出芽が得られる播種機が望まれている。
【０００３】
特許文献１では、カバークロップ（被覆作物）によって発芽期の甜菜を風害から保護するために、カバークロップと甜菜とを同時に播種できる播種機が開示されている。
【先行技術文献】
【特許文献】
【０００４】
【特許文献１】特許第４０９６０３０号公報
【発明の概要】
【発明が解決しようとする課題】
【０００５】
ところが、カバークロップによる風害対策を行うには、カバークロップとして使用する作物の種苗費、及びカバークロップとして使用した作物を枯らす薬剤費がかかるうえ、カバークロップの播種及び薬剤散布のために作業時間が増加し、コストが上昇する。また、播種後の降水量が少ない場合、カバークロップの生育が遅れ、十分な耐風害効果が得られないという問題がある。
【０００６】
したがって、本発明の目的は、発芽期の風害から、低コストで且つ確実に子葉等を保護して安定した出芽が得られる播種機を提供することにある。
【課題を解決するための手段】
【０００７】
上記問題を解決するため、本発明は、トラクタに牽引されてほ場を走行しながら播種する播種機であって、前記ほ場に種子を条播する播種部の後方に、播種位置の側方の片側または両側に土壌を山形に押し固めて播種床を形成する播種床形成部が設けられていることを特徴とする播種機を提供する。
【０００８】
また、前記トラクタの進行方向後方の、前記播種部よりも前方に、施肥作溝器を備えた施肥部が設けられ、前記播種部に備えられて播種位置を鎮圧する鎮圧輪は、前記播種床形成部の内側裾部よりも内側に配置され、前記播種床形成部は、前記施肥作溝器によって掘り起こされた土壌を山形に押し固めることが好ましい。
【０００９】
前記播種床形成部は、互いに異なる軸を備えるとともに正面から見て底辺が山形を形成する一対のローラを有し、前記一対のローラは互いに独立懸架であることが好ましい。
【発明の効果】
【００１０】
本発明によれば、通常の播種作業によって、甜菜等の播種位置の側方の片側または両側に播種床が形成されるので、風自体や強風により飛散した土粒子等から発芽期の子葉や根を保護し、安定した出芽を得ることができる。
【図面の簡単な説明】
【００１１】
【図１】本発明にかかる播種機を示す側面図である。
【図２】図１の播種床形成部の正面図である。
【図３】播種床形成部の異なる実施形態を示す図であり、（ａ）は側面図、（ｂ）は正面図である。
【図４】図１の播種機による播種の手順を説明する断面図である。
【図５】播種の手順の異なる実施形態を説明する断面図である。
【発明を実施するための形態】
【００１２】
以下、本発明の実施の形態を、図を参照して説明する。なお、本明細書および図面において、実質的に同一の機能構成を有する要素においては、同一の符号を付することにより重複説明を省略する。
【００１３】
図１は、本発明の播種機の例を示す。播種機１は、トラクタＴの進行方向後方に連結され、トラクタＴの稼働により回転する駆動輪Ｗの回転を動力源として、トラクタＴに牽引されながら稼働する。すなわち、例えば図示するように、駆動輪Ｗの回転が、駆動輪Ｗに連結されたリンク部材ＬからチェーンＣを介して播種フレームＦに伝えられる。播種フレームＦは、地面方向に加圧する弾性体Ｓにより連結され、ほ場面の凹凸に対応しながら走行および稼働することができる。尚、本明細書において、前方または後方とは、トラクタＴの進行方向Ａにおける前方または後方を指す。
【００１４】
本発明の播種機１は、トラクタＴの進行方向前方側から順に、施肥部２、播種部３、播種床形成部４を有し、これらは上下方向に移動可能にトラクタＴに連結されている。播種機１は、トラクタＴの左右方向に例えば４列に設けられ、同時に４条の施肥および播種作業が行える。
【００１５】
施肥部２は、ほ場に施肥するための施肥溝を掘る施肥作溝器１１、その施肥溝に向けて肥料を送り出す肥料繰り出し機構を備えた肥料タンク１２、施肥後に施肥溝上を覆土する施肥覆土器１３で構成される。施肥作溝器１１は、例えばそれぞれ一対のディスクが播種位置の両側方に例えば２００ｍｍ程度の間隔で設けられ、播種後の作物の根に肥料が行き渡る深さの施肥溝を形成する。施肥覆土器１３は、両側方の施肥作溝器１１の後方に、それぞれの施肥作溝器１１の左右両側に対向させて設けられる。尚、施肥部２は、モータ駆動としてもよい。
【００１６】
播種部３は、播種位置鎮圧輪１４、播種作溝器１５、種子繰り出し機構を備えた種子繰り出し部１６、種子鎮圧輪１７、播種覆土器１８、覆土鎮圧輪１９で構成される。
【００１７】
播種位置鎮圧輪１４は、播種位置付近の地均しをするローラであり、甜菜の種子を播種する場合、例えば２０ｃｍ程度の幅のローラが用いられる。播種位置鎮圧輪１４の後方には、深さ１〜２ｃｍ程度のＶ字状の溝を形成する例えばシュー型作溝器等の周知の作溝器による播種作溝器１５が設けられ、さらに、播種作溝器１５で形成した播種溝内に種子を送り出す種子繰り出し機構を備えた種子繰り出し部１６が設けられる。
【００１８】
甜菜は、コーティング種子の大きさが直径５ｍｍ程度と小さく、種子周辺の土壌から、発芽のための水分を吸収しにくい。そのため、播種した種子を鎮圧して確実に土壌に定着させて土壌から水分を吸収させることが必要であり、播種作溝器１５および種子繰り出し部１６の後方に種子鎮圧輪１７が設けられる。種子鎮圧輪１７は、例えば種子溝と同程度の幅を有し外周に溝が形成されたローラの外周にＯリングがはめ込まれたものが用いられ、例えばゴム等からなるＯリングによって、種子を傷付けずに押さえ付けて土壌に定着させる。
【００１９】
種子鎮圧輪１７の後方に、播種位置を覆土する播種覆土器１８が設けられ、さらにその後方に、覆土鎮圧輪１９が設けられる。覆土鎮圧輪１９は、前方の播種位置鎮圧輪１４と同様のローラであり、両側方の施肥溝の間隔よりも狭い幅、例えば１００ｍｍ程度の幅のローラが用いられる。播種位置鎮圧輪１４、種子鎮圧輪１７、覆土鎮圧輪１９は、いずれも、トラクタＴの進行方向に対して直交する回転軸を中心として、進行方向に向けて回転する。
【００２０】
本発明の播種機１には、上記の播種部３の後方に、播種床形成部４が設けられる。播種床形成部４は、例えば図２に示すように、播種位置の両側方にそれぞれ設けられた一対のローラ２１を有している。本実施形態において、各ローラ２１は、正面形状が等脚台形であり、外側の径が内側の径よりも大きい。また、各ローラ２１の軸２２は、ローラ２１の台形状の正面形状の中心軸であり、一対のローラ２１，２１は左右対称の異なる軸２２，２２を有している。そして、一対のローラ２１，２１の底辺２３，２３が、図示するように正面から見て中央が高い山形を形成する。両側方の山形同士の間隔が、施肥覆土器１３で形成された施肥後の覆土部分の間隔、例えば３０ｃｍになるように、各ローラ２１が配置される。このローラ２１が回転することにより、施肥位置の覆土部分の土壌が押さえ付けられて、山形の播種床が形成される。ローラ２１の軸２２は、図１に示すように連結部材２４およびアーム２５を介して、もう一方のローラ２１とは独立して播種フレームＦに連結され、播種部３と同様にトラクタＴに牽引されながら、ローラ２１が回転する。また、アーム２５の先端側（ローラ２１側）を地面に向けて押さえる加圧ばね２６が設けられ、これにより、ローラ２１が、適宜圧力で土壌を押さえ付ける。
【００２１】
図３は、播種床形成部４の異なる実施形態を示し、（ａ）が側面図、（ｂ）が正面図である。この播種床形成部４は、播種位置の両側方にそれぞれ設けられた播種床成形板３１を、平行リンク部材３２を介して播種フレームＦに連結して構成されたものである。播種床成形板３１は、前面３１ａおよび背面３１ｂの形状が、それぞれ底面の下方に山形の空間を形成する板材であり、図示するように、前面３１ａに形成される山形空間は、高さ、底面ともに、背面３１ｂに形成される山形空間よりも大きい。すなわち、後ろ方向に向かって山形空間が狭くなる形状であり、平行リンク部材３２により矢印Ｂ方向に移動可能である。また、図１の実施形態と同様に、播種床成形板３を土壌に押さえ付ける加圧ばね２６が設けられている。これにより、播種床成形板３１の裏面で施肥位置の覆土部分の土壌が押さえ付けられて、山形の播種床が形成される。
【００２２】
上記のような播種床形成部４を設けることにより、従来の播種作業と同様にトラクタＴで播種機１を牽引するだけで、播種位置の両側方に播種床が形成される。この播種床が、風や風によって飛散する土砂が子葉に衝突するのを防ぎ、発芽期の芽や根の損傷を減少させる。なお、播種床形成部４は、播種位置の片側の側方みに設けられても構わない。
【００２３】
以上の構成を有する播種機１を用いた甜菜の播種手順を、図４にしたがって以下に説明する。
【００２４】
播種機１は、ほ場においてトラクタＴに牽引されて走行し、施肥作溝器１１によって播種位置の両側方に帯状に施肥溝４１を形成する。両側の施肥溝４１の間隔は例えば２０ｃｍであり、甜菜の根に肥料が行き渡る深さに形成される。図４（ａ）に示すように、施肥溝４１内に、肥料タンク１２の肥料繰り出し機構から肥料４２を放出し、施肥覆土器１３によって、施肥溝４１の上に、作溝時に掘り起こして例えば側方に寄せておいた土壌４３を被せて図４（ｂ）に示すように覆土する。
【００２５】
その後、播種部３の播種位置鎮圧輪１４により、播種位置の周囲の地均しを行う。この播種位置鎮圧輪１４の幅は例えば１５ｃｍであり、図４（ｃ）に示すように、両側の覆土部分４４よりも幅が狭いため、覆土部分４４の盛り上がりが崩れることなく残ったまま、鎮圧が行われる。
【００２６】
播種位置鎮圧輪１４で均された播種位置に、播種作溝器１５でＶ字状に播種溝４５を形成し、種子繰り出し部１６の種子繰り出し機構から甜菜の種子４６を放出して図４（ｄ）に示すように播種する。甜菜の場合、播種間隔が例えば１８〜２０ｃｍ程度になるように、種子溝４５内に条播する。その後、図４（ｅ）に示すように種子鎮圧輪１７で種子４６を土壌に定着させ、播種覆土器１８で播種位置を覆土する。その後、図４（ｆ）に示すように、覆土鎮圧輪１９で、播種位置の覆土部分を鎮圧する。覆土鎮圧輪１９の幅は例えば１００ｍｍであり、図示するように、覆土鎮圧輪１９は、両側の覆土部分４４を鎮圧しない。覆土部分４４が片側の側方のみの場合にも、覆土鎮圧輪１９は、覆土部分４４よりも内側に配置され、覆土部分４４を鎮圧しない幅とする。
【００２７】
次に、播種部３の後方に配置された播種床形成部４により、図４（ｇ）に示すように、施肥位置の覆土部分４４の土壌を押さえ付けて山形の播種床４７を形成する。これにより、播種位置の両側方に、山形の播種床４７が連続形成され、出芽時の風害から甜菜の芽を保護することができる。山形の播種床４７を形成する土壌は、施肥溝４１の覆土部分４４をそのまま利用するため、新たに土壌をかき集める必要がなく、簡易に播種床４７を形成することができる。播種床形成部４が播種位置の片方のみに設けられている場合には、播種位置の片方に播種床４７が形成される。
【００２８】
図５は、播種手順の異なる実施形態を示し、施肥溝４１と種子溝４５が同じ位置に設けられる場合である。即ち、播種位置に、施肥作溝器１１で施肥溝４１を形成し、図５（ａ）に示すように、施肥溝４１の両脇に肥料４２を放出する。その後、図５（ｂ）に示すように、施肥覆土器１３によって、施肥作溝器１１で掘り起こした土壌を、施肥溝４１とその両側方にはみ出すようにして覆土する。
【００２９】
次に、図５（ｃ）に示すように、播種位置鎮圧輪１４によって、施肥溝４１の上部を鎮圧する。このとき、両側方にはみ出した土壌を側方に寄せて、土壌の盛り上げ部分４８が形成される。尚、盛り上げ部分４８を形成する土壌は、他の場所から運搬された土でも構わない。
【００３０】
図５（ｄ）に示すように、鎮圧された播種位置に、播種作溝器１５で種子溝４５を形成し、図５（ｅ）に示すように、種子溝４５に種子４６を放出する。そして、図５（ｆ）に示すように、種子鎮圧輪１７で種子４６を土壌に定着させ、図５（ｇ）に示すように、播種覆土器１８で種子溝４５を覆土する。
【００３１】
その後、図５（ｈ）に示すように、覆土鎮圧輪１９で、播種位置の覆土部分を鎮圧する。覆土鎮圧輪１９は、図示するように、盛り上げ部分４８よりも内側に配置され、盛り上げ部分４８を鎮圧しない。
【００３２】
次に、播種床形成部４により、図５（ｉ）に示すように、盛り上げ部分４８の土壌を押さえ付けて山形の播種床４７を形成する。これにより、播種位置の側方に、山形の播種床４７が形成される。
【００３３】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。施肥部２および播種部３の構成は前述のものに限らず、例えば施肥覆土器１３および播種位置鎮圧輪１４を省略して、図５の実施形態において施肥溝４１内に種子を放出し、播種覆土器１８で覆土した後に播種床形成部４で播種床４７を形成してもよい。
【実施例】
【００３４】
ほ場において、播種位置の両側方を想定して３０ｃｍ間隔で高さ５ｃｍの、防風壁としての播種床を形成し、その播種床間の中心と、播種床の無い平地において、高さ１ｃｍ、５ｃｍ、１０ｃｍの位置の風速を測定した。結果を表１に示す。なお、測定は２００９年５月１９日の１２時２５分から１２時４０分の間に行い、当日の最大瞬間風速は、帯広測候所の気象データによると１９．１ｍ／ｓであった。
【００３５】
【表１】
0005506614.tif 000002
【００３６】
表１に示すように、ほ場内の高さ１５０ｃｍにおける最大風速１８．６ｍ／ｓ時の、平地での高さ１ｃｍの位置の風速は９．９ｍ／ｓであったが、播種床間の高さ１ｃｍの位置では３．９ｍ／ｓと大幅に減少した。また、高さ５ｃｍの位置でも、平地で１１．７ｍ／ｓ、播種床間で７．１ｍ／ｓと大きく減少した。１９８９〜２００９年の帯広測候所の気象データによると、当該地区の５月の最大瞬間風速が１８ｍ／ｓ以上の日が月平均１．５日、最大瞬間風速の平均が１９．８ｍ／ｓであった。したがって、表１の結果により、甜菜の出芽期である５月の最大風速に近い状態でも、播種床を設けることにより、地面に近い高さ１ｃｍおよび５ｃｍの位置の風速が大幅に減少し、発芽期の芽および子葉の位置付近の風速を減少させて、風害を防止する効果があることがわかった。
【００３７】
また、播種床形成部を有する播種機と、播種床形成部を有しない従来の播種機によって甜菜の播種を行った。２００９年５月２日に播種し、同年６月２８日に生育調査を行った際の草丈および生葉数は表２に示す通りであり、播種床間に播種された甜菜の方が大幅に生長した。
【００３８】
【表２】
0005506614.tif 000003
【産業上の利用可能性】
【００３９】
本発明は、出芽時に強風を受けやすい甜菜等の作物の播種床を形成する播種機に適用でき、風害を防止して出芽率向上に寄与する。
【符号の説明】
【００４０】
１    播種機
２    施肥部
３    播種部
４    播種床形成部
１１  施肥作溝器
１２  肥料タンク
１３  施肥覆土器
１４  播種位置鎮圧輪
１５  播種作溝器
１６  種子繰り出し部
１７  種子鎮圧輪
１８  播種覆土器
１９  覆土鎮圧輪
２１  ローラ
Ｆ    播種フレーム
Ｔ    トラクタ
【図１】
0005506614.tif 000004
【図２】
0005506614.tif 000005
【図３】
0005506614.tif 000006
【図４】
0005506614.tif 000007
【図５】
0005506614.tif 000008